(57)【要約】      （修正有）【課題】パッティングにおける手首の使いすぎ及び筋肉の硬直によるミスパットを防ぐグリップを提供する。【解決手段】ゴルフパターグリップは太く（最大幅４０ｍｍ以上）長く（長さ４４０ｍｍ程）重い（重量３５０ｇ以上）ため、グリップの中間部分を持ってストロークするとパターヘッドの動きを制御するカウンターバランス効果によって柔らかくグリップしても手首の無駄な動きを抑えた正確なストロークを可能にする。又、距離感よりも方向性の大事なショートパットの際にはグリップの先の方を持ちグリップエンド部を前腕部（肘のあたり）に密着させる事により、手首を完全に固定した状態でストロークが行えるために直進性に優れたパッティングが可能である。【選択図】図３
2009165794.tif 000002
【特許請求の範囲】
【請求項１】
市販されているパタークラブにそのまま装着  又は延長シャフトを用いて個人々の適切な長さに調節したうえで装着使用する、パターグリップ。
【請求項２】
長さ４０〜５０ｃｍ、重量３００〜５００ｇ、最大幅３５〜４５ｍｍ  以上３点の要素を全て含んだ請求項１記載のパターグリップ
【発明の詳細な説明】
【技術分野】
【０００１】  本発明は、ゴルフパターグリップに関する。
【背景技術】
【０００２】  中尺パターグリップには、グリップを長くしてグリップエンド部を身体の一部（お臍のあたり）に密着させることにより安定性を向上させたものがある。
又、伝統的、一般的なパターグリップも存在する。【０００３】  伝統的、一般的なパッティングでは  グリップ部分を両手で握るだけのため、パッティングストロークを行う上において、グリップを支点にした振り子運動が生じ、そのために手首の折れ、曲がりが生じやすかった。その手首の折れ、曲がりがミスパットにつながりやすいため、それを無くすために生まれた中尺パターグリップについて以下、図７により説明する。【０００４】  中尺パタークラブのグリップエンド部を  図７のように身体の一部（お臍のあたり）につけてパッティングストロークを行うことにより手首の折れ、曲がりによるミスパットを減少する事に成功した。
【発明の表示】
【発明が解決しようとする課題】
【０００５】  中尺パターグリップでは、手首の折れ、曲がりは解決できるがグリップエンド部が支点の役目を果たしているためにパッティングストローク中のパターヘッドの開閉がうまれる。そのために方向性にやや難があった。又、グリップエンド部を身体から離して行う従来の一般的なパッティングストロークを行うと中尺パターと今までのパターに違いが生まれず、やはり手首の折れ、曲がりが生じやすい。そして、手首の折れ、曲がりを防ごうとグリップを堅く握ろうとする余り筋肉の硬直が生まれ、それが、ミスパットを誘引していた。
【０００６】  本発明は、このような従来の構成が有していた問題を解決するしようとするものでありグリーン上でのパッティングにおいて優れた方向性と安定性を目的とするものである。
【課題を解決するための手段】
【０００７】  そして、本発明は上記目的を達成するためにグリップエンド部を前腕（肘のあたり）に密着させて使用することにより、骨折時の添え木のような役目を果たし、手首の折れ、曲がりを防ぎ  手首を完全に固定した状態でパッティングストロークを行えるようにしたものである。
【０００８】  前述の手首を固定したままパッティングストロークを行う方法とは、図３のように左手をグリップのシャフトに近い部分を持ち左前腕にグリップを添え左肘の近くにグリップエンド部を密着させるように持ち、右手は従来のパターグリップを持つのと同じようにグリップして簡単に行うことが出来る。
【０００９】  又、図４のように左手は前述のように持ち右手を左手の上に来るように持つクロスハンドグリップでも手首を固定したままパッティングストロークを行うことが簡単に出来る。
【００１０】  又、第２の課題解決手段は、従来のグリップエンドを身体に固定しない一般的パッティングスタイルにおいてもグリップを太く、長く、重くすることによりパターヘッドのぶれを抑えると同時に強くグリップを握りしめることによる筋肉の硬直を防ぎ、スムーズなパッティングストロークを行えるようにしたものである。
【００１１】  上記第一の課題解決手段による骨折時の添え木のような役目を果たすための特徴及び従来のパターグリップとの違いを以下に列記する。
【００１２】  グリップの側面部分を平らにしてあてがいやすくしている。完全に平らな側面は従来のグリップには殆ど見られない。
【００１３】  グリップの長さを４５センチ程にして肘のあたりまで十分に届くようにしている。この長さは従来の中尺パターグリップにも見られる特徴であるが、従来の中尺パターグリップにおいては、側面が曲面になっているため前腕にあてがうのに不安定である。
【００１４】  グリップの太さを最大幅で４０ｍｍ以上にしてあてがいやすくしている。従来のグリップは最大幅２０〜３０ｍｍ程度なのであてがいにくい。又、市販品で最大幅４０ｍｍ程度の太さのものもあるが、長さが３０ｃｍ以下なので前腕にあてがうのは難しい。
【００１５】  グリップ重量を３５０ｇ〜４００ｇにしている。このグリップ重量は、パターヘッドより重いためにカウンターバランス効果が生まれ、パッティングストロークでのヘッドの先走りを抑え（振り子運動の軽減）、前腕からグリップエンド部が離れるのを防ぐ役目を果たす。この重量は従来のパターグリップに比べて３〜８倍の重さである。
【００１６】  このカウンターバランス効果とは図５と図６によってクラブ重心位置の違いで説明出来る。図６の重心位置は図５に比べて重心位置がクラブのほぼ中央になっている。すなわち重心位置がクラブ中央部に近いほどグリップ部とクラブヘッドの重さが釣り合っていることを示し、クラブヘッドが単独に動こうとする慣性モーメントが少ないことを意味する。
【００１７】  又、第２の課題解決手段による作用は次の通りである。すなわち従来のパッティングストロークにおいてグリップを支点にした振り子運動による手首の折れ、曲がりは、握っているグリップ中央部からグリップエンドまでの大幅な重量増加によるカウンターバランス効果により軽減される。そのため手首の動きを抑えた正確なパッティングストロークを行いやすい。そして、最大幅４０ｍｍ以上のグリップの太さがグリップの過度の握り締めを抑え、筋肉の硬直によるミスパットを減らすことが可能である。
【発明の効果】
【００１８】  上述したように本発明のパターグリップを装着することにより、手首の使いすぎによるミスパットを減らし、パッティングに必要な距離感と方向性を高い精度で行えるパタークラブを提供出来る。
【００１９】  又、筋肉の硬直によるミスパット（イップス病）の予防、克服にも効果を発揮するものである。
【発明を実施するための最良の形態】
【００２０】  以下本発明の形態を図１及び図２に基づいて説明する。【００２１】  図１の通り、従来のパターグリップよりも幅が１５ｍｍ程広くなっておりグリップを握る強さを軽減しながらも安定したパッティングストロークが出来るようにしている。【００２２】  図２の通りグリップの側面が平面であるため前腕にグリップを密着するのに適している。又、後部曲面は、指の曲がりに沿った柔らかい曲面であるため握りやすい。【００２３】  以下、上記構成の利点を説明する。図１に示すように長さが４４ｃｍに及び又、４００ｇ近い重量を有するため、一般的パッティングストロークを行う場合にグリップ中央部を持つと後方にのびる１５〜２０ｃｍのグリップエンド部が１５０ｇ以上の重量を持つ。そして前述したカウンターバランス効果によりパターヘッドの振り子運動を抑え、パタークラブ全体が平行移動するような運動が生まれるためさほどの労力もなく、手首の動きを抑えた正確なパッティングストロークが可能である。以上のように、本実施形態によれば距離感及び方向性に優れたパッティングを行うことが出来るものである。
【図面の簡単な説明】
【００２４】
【図１】  本発明のグリップの正面の形態及び寸法及び全重量
【図２】  同グリップ中央部部の断面図及び寸法
【図３】  同グリップ装着のパタークラブ使用方法１
【図４】  同グリップ装着のパタークラブ使用方法２
【図５】  一般的パタークラブの重心位置
【図６】  本発明グリップ装着のパタークラブ重心位置
【図７】  従来の中尺パタークラブ使用方法
【符号の説明】
【００２５】  １  パターグリップ本体
【図１】
2009165794.tif 000003
【図２】
2009165794.tif 000004
【図３】
2009165794.tif 000005
【図４】
2009165794.tif 000006
【図５】
2009165794.tif 000007
【図６】
2009165794.tif 000008
【図７】
2009165794.tif 000009